(57)【特許請求の範囲】
【請求項１】
一のエラーと他のエラーが共に発生した際、一のエラーを示す発光と、他のエラーを示す発光とを共に行う発光手段と、
前記一または他のエラーに対する、エラーの名称及び解除方法の少なくとも一方である詳細情報に関する表示が指示されたか否かを検知する検知手段と、
指示された一または他のエラーに対する詳細情報に関する表示を行う表示手段と、
制御手段と、
を備え、
前記制御手段は、
前記検知手段によって詳細情報に関する表示の指示を検知した場合、前記表示手段に対する電力の供給を行い、前記表示手段によって詳細情報に関する表示を開始し、
前記表示手段に一または他のエラーに対する詳細情報が表示されているときは、前記発光手段によるエラーを示す発光を、前記表示手段に詳細情報が表示されていることを示す発光に切り換える、ことを特徴とする印刷装置。
【請求項２】
請求項１に記載の印刷装置において、
前記一のエラーを示す発光の態様、及び前記他のエラーを示す発光の態様を設定する設定手段を備える、ことを特徴とする印刷装置。
【請求項３】
請求項１または請求項２に記載の印刷装置において、
前記発光手段は、複数の発光部を備え、
前記制御手段は、前記一及び他のエラーに対応して、異なる前記発光部により発光を行う、ことを特徴とする印刷装置。
【請求項４】
請求項１から３のいずれかに記載の印刷装置において、
前記表示手段は、表示している詳細情報が、一及び他のエラーのいずれに対する詳細情報であるかを表示する、ことを特徴とする印刷装置。
【請求項５】
請求項１から４のいずれかに記載の印刷装置において、
前記制御手段は、エラー発生時に、前記表示手段に対する電力の供給を行い、前記表示手段によって詳細情報に関する表示を開始するか否かを、エラーの種類に応じて決定する、ことを特徴とする印刷装置。
【請求項６】
請求項１から４のいずれかに記載の印刷装置において、
前記制御手段は、エラー発生時に、前記表示手段に対する電力が供給されている場合、前記表示手段によって詳細情報に関する表示を開始し、前記表示手段に対する電力が供給されていない場合、前記表示手段によって詳細情報に関する表示を開始しない、ことを特徴とする印刷装置。
【請求項７】
請求項１から６のいずれかに記載の印刷装置において、
前記制御手段は、前記表示手段によってエラーに対する詳細情報に関する表示を行っている場合は、前記発光手段に対する電力の供給を遮断する、ことを特徴とする印刷装置。
【発明の詳細な説明】
【技術分野】
【０００１】
本発明は、印刷装置に関する。さらに詳細には、エラーを報知することが可能な印刷装置に関するものである。
【背景技術】
【０００２】
従来、エラー等の情報の報知を、表示部や音声を使って行うことが広く行われている。
【先行技術文献】
【特許文献】
【０００３】
【特許文献１】特開２００７−３２００５１
【発明の概要】
【発明が解決しようとする課題】
【０００４】
しかしながら、従来は複数のエラー情報の報知を行う際には、例えば、１つの表示部にエラー情報を周期的に表示することによって報知が行われていた（特許文献１）。そのため、ユーザは複数のエラーを一度に確認することができず、不便であった。一方で、複数のエラーを報知するために、大きな表示部を用いると省電力の観点から好ましくないという問題点があった。
【０００５】
本発明は、上述した問題点を解決するためになされたものであり、省電力を図りつつ、複数のエラー情報をユーザに効率よく報知することが可能な印刷装置を提供することを目的とする。
【課題を解決するための手段】
【０００６】
この課題の解決を目的としてなされた印刷装置は、一のエラーと他のエラーが共に発生した際、一のエラーを示す発光と、他のエラーを示す発光とを共に行う発光手段と、前記一または他のエラーに対する、エラーの名称及び解除方法の少なくとも一方である詳細情報に関する表示が指示されたか否かを検知する検知手段と、指示された一または他のエラーに対する詳細情報に関する表示を行う表示手段と、制御手段と、を備え、前記制御手段は、前記検知手段によって詳細情報に関する表示の指示を検知した場合、前記表示手段に対する電力の供給を行い、前記表示手段によって詳細情報に関する表示を開始する。
【０００７】
このような構成によれば、ユーザは指示によって、一または他のエラーに対するエラーの名称及び解除方法の少なくとも一方である詳細情報を知ることができ、また、省電力との両立を図ることができると期待される。
【０００８】
また、本明細書で開示される印刷装置は、前記一のエラーを示す発光の態様、及び前記他のエラーを示す発光の態様を設定する設定手段を備える、ことを特徴とする。
【０００９】
このようにすれば、エラーを示す発光の態様を設定できるため、どのようなエラーであるのかユーザに分かりやすくなると期待できる。
【００１０】
また、本明細書で開示される印刷装置は、前記発光手段が、複数の発光部を備え、前記制御手段は、前記一または他のエラーに対応して、異なる前記発光部により発光を行う、ことを特徴とする。
【００１１】
このようにすれば、一及び他のエラーに対応して、異なる発光部を用いて発光が行われるため、複数のエラーが起こっていることがユーザにとってより分かりやすくなると期待できる。
【００１２】
また本明細書で開示される印刷装置は、前記表示手段が表示している詳細情報が、一及び他のエラーのいずれに対する詳細情報であるかを表示する、ことを特徴とする。
【００１３】
このようにすれば、一及び他のエラーについて、どのエラーの詳細情報を表示手段によって表示しているのか、ユーザが分かりやすくなる。
【００１４】
また、本明細書で開示される印刷装置は、前記制御手段が、前記表示手段に一または他のエラーに対する詳細情報が表示されているときは、前記発光手段によるエラーを示す発光を、前記表示手段に詳細情報が表示されていることを示す発光に切り換える、ことを特徴とする。
【００１５】
このようにすれば、一及び他のエラーについて、どの詳細情報を表示手段によって表示しているのか、発光の切り換えによってユーザが分かりやすくなる。
【００１６】
また、本明細書で開示される印刷装置は、前記制御手段が、エラー発生時に、前記表示手段に対する電力の供給を行い、前記表示手段によって詳細情報に関する表示を開始するか否かを、エラーの種類に応じて決定する、ことを特徴とする。
【００１７】
このようにすれば、エラーの種類に応じて、表示手段の電力を供給して詳細情報を表示するか否か決定することができる。
【００１８】
また、本明細書で開示される印刷装置は、前記制御手段が、エラー発生時に、前記表示手段に対する電力が供給されている場合、前記表示手段によって詳細情報に関する表示を開始し、前記表示手段に対する電力が供給されていない場合、前記表示手段によって詳細情報に関する表示を開始しない、ことを特徴とする。
【００１９】
このようにすれば、表示手段に電力を供給することが少なくなるため、より省電力を実現できると期待できる。
【００２０】
また、本明細書で開示される印刷装置は、前記制御手段が、前記表示手段によってエラーに対する詳細情報に関する表示を行っている場合は、前記発光手段に対する電力の供給を遮断する、ことを特徴とする。
【００２１】
このようにすれば、エラーの通知を切り換えることができ、表示手段を使っている際でも発光手段に対する電力供給を遮断するため、省電力が期待できる。
【発明の効果】
【００２２】
本発明によれば、省電力を図りつつ、複数のエラー情報をユーザに効率よく報知することが可能な印刷装置が実現される。
【図面の簡単な説明】
【００２３】
【図１】実施の形態にかかるＭＦＰの外観を示す図である。
【図２】実施の形態にかかる操作パネルの一例を示す図である。
【図３】実施の形態にかかるＭＦＰの電気的構成を示すブロック図である。
【図４】実施の形態にかかる発光処理の手順を示すフローチャートである。
【図５】実施の形態にかかる表示処理の手順を示すフローチャートである。
【図６】実施の形態にかかるエラー情報を示すテーブルの一例である。
【発明を実施するための形態】
【００２４】
以下、本発明にかかる印刷装置を具体化した実施の形態について、添付図面を参照しつつ詳細に説明する。本実施形態は、スキャン機能、プリント機能、およびＦＡＸ送受信機能を備えた複合機（ＭＦＰ：Ｍｕｌｔｉ  Ｆｕｎｃｔｉｏｎ  Ｐｅｒｉｐｈｅｒａｌ）に本発明を適用したものである。
【００２５】
［ＭＦＰの構成］
本実施形態のＭＦＰ１００は、図１に示すように、用紙に画像を印刷する画像形成部１０と、原稿の画像を読み取る画像読取部２０とを備えている。なお、画像形成部１０の画像形成方式は、電子写真方式であっても、インクジェット方式であってもよい。また、画像形成部１０は、カラー画像及びモノクロ画像の形成が可能であってもよいし、モノクロ画像のみの形成が可能であってもよい。
【００２６】
さらに、画像読取部２０は、カラー画像及びモノクロ画像の読み取りが可能であってもよいし、モノクロ画像のみの読み取りが可能であってもよい。なお、本実施形態によれば、画像形成部１０と画像読取部２０の両方を備えていることは必須ではなく、いずれか一方しか備えていなくても実施が可能である。
【００２７】
ＭＦＰ１００は、前面側に操作パネル４０を備えている。図２は、図１における操作パネル４０の特徴部分を模式的に表した図である。操作パネル４０には、図２に示すように、液晶ディスプレイからなる表示部４１（表示手段の一例）、各種のボタン（例えば、上下左右キー，キャンセルキー，テンキー４２等の各ボタン）によって構成されるボタン群等が設けられている。ＭＦＰ１００では、この表示部４１や、テンキー４２を含むボタン群により、動作状況の表示やユーザによる入力が可能になっている。
【００２８】
また、操作パネル４０のテンキー４２には、各キーの内部にそれぞれＬＥＤ(Ｌｉｇｈｔ  Ｅｍｉｔｔｉｎｇ  Ｄｉｏｄｅ)７０ａ〜７０ｎ（発光手段，発光部の一例）が備えられており、各ＬＥＤ７０ａ〜７０ｎは複数色で発光することが可能になっている。
【００２９】
［ＭＦＰの電気的構成］
続いて、ＭＦＰ１００の電気的構成について説明する。ＭＦＰ１００は、図３に示すように、ＣＰＵ３１（検知手段，制御手段，設定手段の一例）と、ＲＯＭ３２と、ＲＡＭ３３と、ＮＶＲＡＭ（Ｎｏｎ  Ｖｏｌａｔｉｌｅ  ＲＡＭ）３４とを備えた制御部３０を備えている。また、制御部３０は、画像形成部１０と、画像読取部２０と、操作パネル４０と、電力供給ユニット５０と、ネットワークインターフェース３７とに、電気的に接続されている。
【００３０】
ＲＯＭ３２には、ＭＦＰ１００を制御するための制御プログラムであるファームウェアや各種設定、初期値等が記憶されている。ＲＡＭ３３及びＮＶＲＡＭ３４は、各種制御プログラムが読み出される作業領域として、あるいは読み取った画像データを一時的に記憶する記憶領域として利用される。
【００３１】
ＣＰＵ３１は、ＲＯＭ３２から読み出した制御プログラムや各種センサから送られる信号に従って、その処理結果をＲＡＭ３３またはＮＶＲＡＭ３４に記憶させながら、ＭＦＰ１００の各構成要素を制御する。
【００３２】
電力供給ユニット５０は、制御部３０だけでなく操作パネル４０にも電気的に接続されており、制御部３０や操作パネル４０に対して、電力を供給または遮断する。また、スイッチであるＳＷ１やＳＷ２によって、操作パネル４０にある表示部４１とＬＥＤ７０に対して、それぞれ電力を供給または遮断することが可能になっている。
【００３３】
ネットワークインターフェース３７は、他の装置との通信を可能にするインターフェースである。ＭＦＰ１００は、ネットワークインターフェース３７を介して他の装置から送信される印刷データを受信したり、他の装置へ読み取った画像データを送信したりする。
【００３４】
［ＭＦＰの制御］
続いて、ＭＦＰ１００の制御について説明する。
【００３５】
［実施形態］
以下、実施形態に関する発光処理，表示処理について、図４から図６を参照しつつ説明する。
【００３６】
実施形態の発光処理及び表示処理は、電力供給ユニット５０によって制御部３０への電力の供給が行われると、ＣＰＵ３１によって実行が開始され、定期的に実行される。
【００３７】
始めに、発光処理について図４，図６を参照しつつ説明する。
【００３８】
まずＳ１０１では、エラーが起こっているかどうかをＣＰＵ３１が判断する。エラーが起こっていないと判断されると（Ｓ１０１：Ｎｏ）、発光処理を終了する。一方、エラーが起こっていると判断されると（Ｓ１０１：Ｙｅｓ）、Ｓ１０２に移行する。
【００３９】
なお、エラーが起こっている状態とは、エラーが初めて起こったときの状態だけでなく、エラーが起こってから、エラーの解除がまだ行われていない状態も表す。
【００４０】
Ｓ１０２では、テンキー４２の内部にあるＬＥＤ７０（発光手段，発光部の一例）でエラーを示す点灯が必要か否かをＣＰＵ３１が判断する（制御手段の一例）。
【００４１】
なお、Ｓ１０１において、そのエラーについてエラーが起こっていると初めて判断された、つまりそのエラーが起こったときは（Ｓ１０１：Ｙｅｓ）、ＬＥＤ７０の点灯が必要であると判断する。そのエラーについてエラーが起こったと初めて判断された場合でない、つまりエラーが起こってからまだ解除がされていない状態で再び発光処理が実行され、Ｓ１０１でエラーが起こっていると判断された場合については、後に詳細に説明する。
【００４２】
ＬＥＤ７０の点灯が必要でない場合は（Ｓ１０２：Ｎｏ）、発光処理を終了する。ＬＥＤ７０の点灯が必要な場合は（Ｓ１０２：Ｙｅｓ）、Ｓ１０３に移行する。
【００４３】
Ｓ１０３では、ＣＰＵ３１が電力供給ユニット５０に指示を出すことにより、ＬＥＤ７０に対する電力を供給してＬＥＤ７０を点灯する。
【００４４】
これは、図６に一例として示したようなエラーテーブルをＣＰＵ３１が参照し、そのエラーテーブルの情報に従ってテンキー４２の内部のＬＥＤ７０を点灯する。なお、図６のエラーテーブルは、起こったエラーの内容、また各エラーの報知方法などを示すエラーテーブルであり、予めＮＶＲＡＭ３４やＲＯＭ３３に記憶されている。
【００４５】
例えば、起こったエラーが「Ｔｏｎｅｒ  Ｅｍｐｔｙ」であった場合は、図６のエラーテーブルの「Ｔｏｎｅｒ  Ｅｍｐｔｙ」を参照すると、点灯キーが「２」、点灯方法が「点灯」、点灯色が「赤」となっている。したがって、ＣＰＵ３１はこのエラーテーブルに従って、図２に斜線部で示したように、テンキー４２のうち「２」のキーの内部にあるＬＥＤ７０ｂを赤色に点灯する。
【００４６】
複数のエラーが起こっている場合、例えば、さらに「Ｐａｐｅｒ  Ｌｏｗ」が起こったときは、図６のエラーテーブルにおいて「Ｐａｐｅｒ  Ｌｏｗ」を参照すると、点灯キーが「７」、点灯方法は「淡点灯」、点灯色は「白」となっている。したがって、ＣＰＵ３１はこのエラーテーブルに従って、図２に網掛け部で示したように、テンキー４２のうち「７」のキーの内部にあるＬＥＤ７０ｇを白色に淡点灯する。
【００４７】
なお、エラーが起こった際のテンキー４２の内部にあるＬＥＤ７０の点灯箇所や点灯色などの点灯方法は、操作パネル４０を介してユーザが設定可能である。例えば、操作パネル４０の操作を介して、「Ｔｏｎｅｒ  Ｅｍｐｔｙ」のエラーは、テンキー４２のうち「５」のキーを青色に点灯すると指示された場合は、ＣＰＵ３１（設定手段の一例）はその指示に基づいてエラーテーブルの情報を書き換え、ＮＶＲＡＭ３４やＲＯＭ３３に記憶させることで、ＬＥＤ７０においてエラーを示す点灯の態様を設定を行う。
【００４８】
これにより、ユーザはＬＥＤ７０の点灯箇所や点灯色を見ると、どのようなエラーなのか予測しやすいように設定することができる。
【００４９】
続くＳ１０４では、テンキー４２が押下されることにより、エラーの名称及び解除方法の少なくとも一方である詳細情報に関する表示が指示された否かを、ＣＰＵ３１が検知する（検知手段の一例）。ここで、テンキー４２が押下されるとは、エラーを示すために点灯されているキーが押下された場合のことであり、点灯されていないキーが押下された場合は、詳細情報を表示する指示ではないとする。
【００５０】
例えば、テンキー４２の「２」と「７」のキーの内部にあるＬＥＤ７０ｂとＬＥＤ７０ｇが点灯しているときに、「３」のキーが押下された場合はエラーの詳細情報表示の指示はされていないとし、「２」のキーが押下された場合は、詳細情報表示の指示であると検知する。
【００５１】
詳細情報表示の指示が検知されると（Ｓ１０４：Ｙｅｓ）、ＣＰＵ３１は表示部４１（表示手段の一例）に対して、押下されたキーのエラーに対応するエラーの詳細情報表示を行うように通知する（Ｓ１０５）。
【００５２】
そして、続くＳ１０６では、テンキー４２において押下されたキーの内部にあるＬＥＤ７０を点滅させることにより、対応するエラーの詳細情報が表示部４１に表示されていることを示す。なお、ＬＥＤ７０は点滅でなくても、赤，黄，青と交互に色を変えて点灯してもよいし、エラーの報知に用いられない色に点灯してもよい。
【００５３】
例えば、エラーが起こったときに用いられる点灯色の全てが赤，黄，青だったときは、押下されたキーは緑に点灯してもよい。つまり、表示部４１に詳細情報の表示を行っているエラーであることが分かるように、キーを点灯すればよい。
【００５４】
Ｓ１０４にて、詳細情報表示の指示が検知されない場合（Ｓ１０４：Ｎｏ）、またはＳ１０６の後にはＳ１１０に移行し、エラーを示すＬＥＤ７０の点灯が不要か否かを判断する。ＬＥＤ７０の点灯が不要な場合とは、例えば、操作パネル４０を介してエラーを示す点灯のキャンセルが指示された場合である。
【００５５】
また、エラーを示す以外にテンキー４２を用いることが指示された場合も、ＬＥＤ７０の点灯は不要である。これは、例えば、エラーが発生しても実行可能な機能、例えば「Ｔｏｎｅｒ  Ｌｏｗ」のエラーが発生時にＦＡＸ送信などのために、テンキー４２を電話番号の入力に用いるときなどがある。
【００５６】
点灯が必要な場合は（Ｓ１１０：Ｎｏ）、そのまま発光処理を終了する。点灯が不要である場合は（Ｓ１１０：Ｙｅｓ）、Ｓ１１１に移行して、ＬＥＤ７０の点灯によって示していたエラーを、表示部４１に表示するようにＣＰＵ３１が通知する（Ｓ１１１）。そして、テンキー４２においてエラーを示すＬＥＤ７０の点灯を消灯し（Ｓ１１２）、そして発光処理を終了する。
【００５７】
なお、Ｓ１１２では、ＣＰＵ３１が電力供給ユニット５０に指示を出すことにより、ＬＥＤ７０の対する電力の供給を遮断してＬＥＤ７０を消灯する。しかし、ＬＥＤ７０に対する電力の供給は遮断しなくてもよく、エラーを示す点灯が消灯していればよい。例えば、エラーを示す以外にテンキー４２を用いることが指示されるなどして、ＬＥＤ７０の点灯が不要であると判断された場合は、ＬＥＤ７０を全て白色に点灯してユーザが入力操作等を行いやすいようにしてもよい。
【００５８】
ここで、Ｓ１０２において、ＬＥＤ７０の点灯が必要か否かの判断について説明する。Ｓ１０１にてエラーが起こっていると初めて判断された場合については、既に説明した。そのエラーが起こっていると初めて判断されたわけでない場合、つまりエラーがまだ解除されていない状態で再び発光処理が実行され、Ｓ１０１にてエラーが起こっていると判断された場合について説明する。
【００５９】
このときＳ１０２では、既述したＳ１１０において、ＬＥＤ７０の点灯が不要であると判断され、Ｓ１１２でエラーを示すＬＥＤ７０の点灯を消灯した後、例えば、操作パネル４０の操作を介して、エラーを示すＬＥＤ７０の点灯が指示されない場合は、ＬＥＤ７０点灯が不要であると判断し、指示がされた場合はＬＥＤ７０の点灯が必要であると判断してもよい。
【００６０】
また、ＬＥＤ７０の点灯が不要であると指示されてから、一定時間経過していないときは点灯が不要であると判断し、一定時間経過したときは点灯が必要であると判断してもよい。
【００６１】
また、発光処理において、エラーを示すＬＥＤ７０の点灯が消灯中に、後述する図５の表示処理において、表示部４１の表示が不要であると判断されるなどにより、ＬＥＤ７０でエラーを示す点灯を行うと通知された場合は、点灯が必要であると判断し、通知されていないときは点灯が不要であると判断してもよい。
【００６２】
なお、Ｓ１１０でＬＥＤ７０の点灯が不要であると判断されたときは、Ｓ１１１にて通知を行うことによりエラーを表示部４１で表示していた。しかし、発光処理が再度実行された際にＳ１０２にて点灯が必要であると判断された場合は、この表示部４１での表示を継続してもよいし、中止するように表示部４１に通知してもよい。つまり、テンキー４２のＬＥＤ７０と表示部４１の少なくともどちらか一方でエラーの報知が行われていればよい。
【００６３】
次に、表示処理について、図５のフローチャートを参照しつつ説明する。
【００６４】
Ｓ２０１では、エラーが起こっているかどうかをＣＰＵ３１が判断する。このステップはＳ１０１と同様である。エラーが起こっていないと判断されると（Ｓ２０１：Ｎｏ）、表示処理を終了する。
【００６５】
一方、エラーが起こっていると判断されると（Ｓ２０１：Ｙｅｓ）、Ｓ２０２に移行して、エラーの名称及び解除方法の少なくとも一方である詳細情報を、表示部４１へ表示するか否かをＣＰＵ３１が決定する。
【００６６】
Ｓ２０２では、Ｓ２０１にてそのエラーについてエラーが起こっていると初めて判断された場合、つまりエラーが起こったときは、起こったエラーの種類または表示部４１への電力供給状態に基づいて表示部４１に表示するか否かを決定する。そのエラーについて、エラーが起こっていると初めて判断されたわけではない、つまりエラーが起こってから解除されずに再び表示処理が実行され、Ｓ２０１にてエラーが起こっていると判断された場合については、後に詳細に説明する。
【００６７】
なお、本実施形態において表示部４１に対する電力の供給または遮断とは、表示部４１に対する電力を全て供給または遮断した状態のことに限らない。つまり、表示部４１において表示を行うための電力のうち、少なくとも一部の電力を供給または遮断した状態を指す。例えば、表示を行うための表示部４１の内部にあるバックライト（不図示）に対する電力を供給または遮断する。
【００６８】
まず、Ｓ２０２において、表示部４１に表示するか否かをエラーの種類に基づいて決定する方法について説明する。ＣＰＵ３１は、エラーが起こった際に、図６のエラーテーブルを参照し、表示部４１への表示を行うか否かを決定する。
【００６９】
ここで、エラーの種類とは、図６のエラーテーブルにおける内容の項目に該当するものである。このエラーの種類に応じて、表示部４１に表示するか否かが予め設定され、ＲＯＭ３３やＮＶＲＡＭ３４に記憶されているものとする。しかし、Ｓ２０２におけるエラーの種類とは、エラーの内容だけに限らない。
【００７０】
例えば、図６のエラーテーブルを参照すると、エラーごとに緊急度が設定されている。ここでは、ユーザに報知することが望ましいエラーは緊急度が「高」と設定されている。そのため、この緊急度に基づき、緊急度が高いエラーである場合には表示部４１へ表示すると決定してもよい。
【００７１】
例えば、起こったエラーが「Ｔｏｎｅｒ  Ｅｍｐｔｙ」であった場合、図６のエラーテーブルの「Ｔｏｎｅｒ  Ｅｍｐｔｙ」を参照すると、緊急度が「高」と定められている。そのため、表示部４１へ表示すると決定する。起こったエラーが「Ｐａｐｅｒ  Ｌｏｗ」であった場合、図６のエラーテーブルと参照すると、緊急度が「低」となっているため、表示部４１へ表示しないと決定する。
【００７２】
また、例えば、エラーの解除のためにユーザが作業を必要とする場合に表示部４１に表示し、作業を必要としない場合は表示しないようにしてもよい。また、頻繁に起こるエラーは表示部４１には表示せず、頻繁に起こらないエラーは表示するように決定してもよい。これらにより、ユーザにより分かりやすいエラーの報知を行うことができる。
【００７３】
なお、表示部４１への表示を行うエラーの種類を、ユーザによって設定可能としてもよい。例えば、ユーザは操作パネル４０の操作を介して、「Ｔｏｎｅｒ  Ｅｍｐｔｙ」は表示部４１へ表示し、「Ｊａｍ  Ｉｎｓｉｄｅ」は表示しないという設定ができる。また、例えば、緊急度が高いエラーを表示部４１に表示すると決定される場合には、操作パネル４０の操作を介して、ユーザが緊急度を設定可能とすることにより、表示部４１に表示するエラーの種類を設定できる。
【００７４】
これにより、ユーザはエラーが起こる度に詳細情報を表示する指示を行わなくても、必要とする種類のエラーだけを表示部４１への表示によって詳細情報を知ることができるようになり、利便性が向上する。
【００７５】
次に、表示部４１への電力供給状態に基づいて決定する方法について説明する。ＣＰＵ３１は、後述するＳ２２１が行われたなどして、表示部４１への電力の供給が遮断されているときには、表示部４１へ表示しないと決定し、電力が供給されているときは表示部４１へ表示すると決定する。これにより、後述するＳ２０３において表示部４１へ電力を供給する頻度が少なくなり、より省電力の効果を高めることができる。
【００７６】
ここでは、Ｓ２０２において、表示部４１に表示するか否かを、起こったエラーの種類または表示部４１への電力供給状態に基づいて決定する方法について説明した。しかし、エラーの種類と電力供給状態の両方に基づいて決定してもよい。
【００７７】
この場合は、表示部４１に表示するような、エラーの種類であることと電力供給状態であること、の両方を満たすときに表示部４１へ表示すると決定する（Ｓ２０２：Ｙｅｓ）。どちらか一方しか満たさないときは、表示部４１へ表示しないと決定する（Ｓ２０２：Ｎｏ）。例えば、表示部４１に表示すると決定されるエラーの種類である「Ｔｏｎｅｒ  Ｅｍｐｔｙ」が起こった場合であっても、表示部４１への電力が供給されていない場合は、表示部４１へ表示しないと決定し、電力が供給されている場合は、表示部４１へ表示すると決定する。
【００７８】
Ｓ２０２において、表示部４１へ表示すると決定されると（Ｓ２０２：Ｙｅｓ）、Ｓ２０３に移行し、ＣＰＵ３１が電力供給ユニット５０に指示を出すことにより、表示部４１への電力を供給する（Ｓ２０３）。なお、既に表示部４１への電力が供給されている状態だった場合は、このステップは行わず、Ｓ２０４に移行する。
【００７９】
続くＳ２０４では、エラーの名称または解除方法の少なくとも一方である詳細情報を表示部４１に表示する。例えば、「Ｔｏｎｅｒ  Ｅｍｐｔｙ」が起こったときには、図６のエラーテーブルにおいて、「Ｔｏｎｅｒ  Ｅｍｐｔｙ」を参照する。すると、表示内容が「Ｒｅｐｌａｃｅ  Ｔｏｎｅｒ  トナーカートリッジを交換してください」となっているので、図２に示したように、表示部４１に「Ｒｅｐｌａｃｅ  Ｔｏｎｅｒ  トナーカートリッジを交換してください」と表示する。
【００８０】
ここで、エラーの名称とは図６のエラーテーブルにおいて、内容に該当する「Ｔｏｎｅｒ  Ｅｍｐｔｙ」であり、エラーの解除方法は「Ｒｅｐｌａｃｅ  Ｔｏｎｅｒ  トナーカートリッジを交換してください」である。詳細情報の表示を行う際には、エラーの名称または解除方法の少なくとも一方を表示部４１に表示すればよい。
【００８１】
つまり、エラーの名称と解除方法のどちらか一方を表示してもよいし、両方を表示してもよい。これは、予め設定されており、図６のエラーテーブルにおいて、表示内容の項目に記憶されているものとする。なお、ここではエラーの解除方法を表示する例について説明した。
【００８２】
一方、Ｓ２０２にて表示部４１へ表示しないと決定されると（Ｓ２０２：Ｎｏ）、Ｓ２１０に移行する。Ｓ２１０では、既述した発光処理のＳ１０３において、エラーの名称及び解除方法の少なくとも一方である詳細情報の表示部４１への表示が指示されたか否かをＣＰＵ３１が検知する。これは、既述したＳ１０４，Ｓ１０５に基づいている。詳細情報表示の指示が検知されない場合は（Ｓ２１０：Ｎｏ）、表示処理を終了する。
【００８３】
詳細情報表示の指示が検知された場合は（Ｓ２１０：Ｙｅｓ）、Ｓ２１１に移行し、ＣＰＵ３１が電力供給ユニット５０に指示を出すことにより、表示部４１への電力を供給する。なお、既に表示部４１への電力が供給されている状態だった場合は、このステップは行わない。これはＳ２０３と同様である。
【００８４】
次に、Ｓ２１２に移行する。Ｓ２１２では、Ｓ１０５において行われた通知に基づき、押下されたキーのエラーに対応する、エラーの名称及び解除方法の少なくとも一方である詳細情報を、ＣＰＵ３１が表示部４１に表示する。なお、該当するテンキー４２のＬＥＤ７０が示すエラーが複数あるときは、図６のエラーテーブルを参照し、その中で優先度の高いエラーを表示することが好ましい。
【００８５】
例えば、テンキー４２において「４」のキーの内部にあるＬＥＤ７０ｄを点灯する「Ｊａｍ  Ｉｎｓｉｄｅ」と「Ｊａｍ  Ｔｒａｙ」のエラーが共に発生していたとき、テンキー４２の「４」が押下された場合は、図６のエラーテーブルを参照すると、「Ｊａｍ  Ｉｎｓｉｄｅ」の方が「Ｊａｍ  Ｔｒａｙ」より優先度が高く設定されている。したがって、優先度の高い「Ｊａｍ  Ｉｎｓｉｄｅ」の詳細情報として、エラーテーブルで表示内容の項目に記憶されている「Ｊａｍ  Ｉｎｓｉｄｅ  カバーの紙詰まりを解消してください」と表示部４１に表示する。
【００８６】
なお、ここでは、エラーの名称である「Ｊａｍ  Ｉｎｓｉｄｅ」と解除方法である「カバーの紙詰まりを解消してください」の両方を表示する例を示したが、どちらか一方を表示するようにしてもよい。これは予め設定され、記憶されているものとする。この点、Ｓ２０４と同様である。
【００８７】
また、既述した発光処理ではＳ１０６にて、表示部４１に詳細情報を表示しているエラーのキーである「４」のキーを点滅させるなどして、表示部４１に詳細情報を表示しているエラーであることを報知している。しかし、Ｓ１０６は行わなくてもよい。
【００８８】
この場合は、Ｓ２１２にて、表示部４１に詳細情報を表示すると共に「４」のエラーに対応する詳細情報を表示している旨を表示する。例えば、図２に示したように、「４番のエラー」などと表示部４１の一部に表示する。つまり、表示部４１にテンキー４２のどのキーのエラーに対応するエラーの詳細情報を表示しているのかを、テンキー４２のＬＥＤ７０と表示部４１のいずれかによって分かるようにすればよい。
【００８９】
そして、Ｓ２０４の後と、Ｓ２１２の後にはＳ２２０に移行する。Ｓ２２０では、表示部４１での詳細情報の表示が不要になったか否かをＣＰＵ３１が判断する。表示が不要になる場合とは、例えば、操作パネル４０の操作を介して、エラーの詳細情報以外の表示、例えば表示部４１を用いて印刷のための機能を表示する指示がされた場合や、表示している詳細情報のエラーに対応するテンキーが再度押下されるなどして、詳細情報の非表示が指示された場合などである。
【００９０】
また、エラーの詳細情報を表示してから一定時間経過していたり、操作パネル４０を介してユーザに指示されたりして、省電力モードに移行する場合も、表示が不要であると判断する。
【００９１】
表示が必要である場合は（Ｓ２２０：Ｎｏ）、表示処理を終了する。表示が不要である場合は（Ｓ２２０：Ｙｅｓ）、続くＳ２２１において、ＣＰＵ３１が電力供給ユニット５０に指示を出すことにより、表示部４１への電力供給を遮断し、表示処理を終了する。
【００９２】
なお、ＬＥＤ７０におけるエラーの点灯も消灯されているときには、ＬＥＤ７０においてエラーを示す点灯を行うように通知する。これにより、既述したＳ１０２においてＬＥＤ７０のエラーを示す点灯が必要と判断され、表示部４１とテンキー４２のＬＥＤ７０との少なくともどちらか一方でエラーの報知が行われていることになる。
【００９３】
また、エラーの詳細情報以外の表示を行うなどのために、エラーの詳細情報の非表示が指示されたことにより、Ｓ２２０で詳細情報の表示が不要であると判断された場合は、Ｓ２２１では表示部４１への電力供給を遮断するのではなく、詳細情報を非表示とする処理を行うようにするとよい。これにより、表示部４１をエラーの詳細情報の表示以外にも使うことができるようになり、利便性が向上する。
【００９４】
ここで、Ｓ２０２において、表示部４１に表示するか否かの判断について説明する。Ｓ２０１でエラーが起こっていると初めて判断された場合については、既に説明した。そのエラーが初めて起こっていると判断されたわけではない場合、つまり、エラーが起こってからまだ解除されてない状態で表示処理が再び実行され、Ｓ２０１でエラーが起こっていると判断された場合について説明する。
【００９５】
Ｓ２０１においては、エラーの種類または表示部４１に対する電力供給状態に応じて、表示部４１に表示するか否かを決定すると説明した。しかし、Ｓ２０１にてエラーが起こっていると判断されるのが初めてでなかった場合は、既述した発光処理においてＳ１１１で表示部４１へ詳細情報を表示すると通知した場合も、表示部４１へ表示すると決定する。
【００９６】
つまり、図４のＳ１１０にてＬＥＤ７０の点灯が不要であると判断され（Ｓ１１０：Ｙｅｓ）、Ｓ１１１にて、ＬＥＤ７０によって示していたエラーを表示部４１で表示すると通知されていた場合は、Ｓ２０２にて、表示部４１に表示すると判断する（Ｓ２０２：Ｙｅｓ）。これにより、テンキー４２のＬＥＤ７０と表示部４１の少なくともどちらか一方で、エラーの報知が行われるという効果が得られる。
【００９７】
また、Ｓ２２０で、操作パネル４０の操作を介して、エラーの詳細情報以外の表示、例えば表示部４１を用いて印刷のための機能を表示する指示がされた場合などにより、エラーの詳細情報の非表示が指示された場合は、印刷のための機能の表示や操作がキャンセルされた場合に表示部４１に表示が必要であると判断してもよい。これにより、表示部４１に表示すると設定されているエラーや、テンキー４２の押下によって表示部４１に表示したエラーをできる限り表示しておくことが可能である。
【００９８】
以上記載したように、上記実施形態によれば、エラーが発生した際のＬＥＤ７０の点灯方法をユーザが設定可能であり、そのため、エラーが発生した際にユーザがＬＥＤ７０の点灯状態を見て、どのようなエラーが起こったのか予測しやすい。また、表示部４１への電力供給を遮断できるため、省電力が実現される。
【００９９】
さらに、ＬＥＤ７０の点灯状態を見てどのようなエラーが起こったのか分からないユーザは、テンキー４２を押下して指示することにより、対応するエラーの詳細な情報を表示部４１へ表示して確認することができるため、利便性が向上する。
【０１００】
特に、ＬＥＤ７０のエラーを示す点灯状態を見て、どのようなエラーが起こったのか分かるユーザは、表示部４１に詳細情報を表示させることなくエラーを解除することができる。この場合、表示部４１へ電力を供給することが少なくなるため、省電力の面で大きな効果が得られる。
【０１０１】
なお、上記実施形態では、エラーを示す発光手段として、テンキー４２の各キーの内部に備えるＬＥＤ７０を用いた。しかしながら、発光手段はＬＥＤ７０に限らない。例えば、表示部４１以外にさらにもう１つの表示パネルを備え、表示パネルと操作パネル４０のボタン群で実現してもよい。
【０１０２】
例えば、表示パネル上に複数のエラーのタイトルを表示し、ボタン群によって各エラーを選択すると、選択されたエラーに対応するエラーの詳細情報が表示部４１に表示されるようにしてもよい。また、１つのＬＥＤを用いて、複数のエラーに対応する点灯色で順次点灯することにより、エラーを示してもよい。
【０１０３】
また、上記実施形態では、「Ｊａｍ  Ｉｎｓｉｄｅ」と「Ｊａｍ  Ｔｒａｙ」が共に起こった際には、エラーテーブルを参照すると、テンキー４２のうち「４」のキーの内部にあるＬＥＤ７０ｄを点灯すると設定されている。これにより、「４」のキーが点灯しているときはＪａｍに関するエラーが起こっているとユーザが分かりやすくなる。
【０１０４】
しかし、これら、例えばＪａｍに関する複数のエラーが起こっている場合でも、全て異なるＬＥＤ７０を点灯するようにしてもよい。これにより、ユーザは複数のエラーが起こっていることを一目で分かりやすくなる。
【０１０５】
また、上記実施形態では、エラーテーブルをＲＯＭ３３やＮＶＲＡＭ３４に記憶されているとして説明した。しかし、電力供給の遮断が行われてもデータを保存できる不揮発性の記憶部であれば、他の記憶部であってもよい。
【０１０６】
また、上記実施形態では、エラーが起こった際にＬＥＤ７０でエラーを示す点灯を行い、テンキー４２が押下されるなどして詳細情報表示の指示が検知された場合に表示部４１に詳細情報の表示を行っている。しかしながら、エラーが起こっていることをユーザが分かるように報知すればよいので、テンキー４２のＬＥＤ７０と表示部４１の少なくとも一方でエラーが報知されていればよい。
【０１０７】
そのため、上記実施形態は、テンキー４２のＬＥＤ７０と表示部４１のどちらか一方でエラーが報知されている形態に変更が可能である。このとき、ＣＰＵ３１は、起こったエラーをＬＥＤ７０によって報知するのか、表示部４１によって報知するのか判断し、切り換えるようにする。
【０１０８】
つまり、図４の発光処理においてエラーを示すＬＥＤ７０の点灯が行われるときは、図５の表示処理において、Ｓ２０２，Ｓ２２０で表示部４１での表示が不要であると判断して表示が行われないようにする。一方、図５の表示処理において表示部４１の表示が行われるときは、図４の発光処理において、Ｓ１０２，Ｓ１１０でＬＥＤ７０でのエラーを示す点灯が不要であると判断して点灯が行われないようにする。
【０１０９】
この場合、表示部４１にエラーの詳細情報が表示されているときは、ＬＥＤ７０に対する電力供給を遮断する。
【０１１０】
例えば、テンキー４２が押下されるなどして表示部４１に詳細情報の表示を行うときは、ＣＰＵ３１が電力供給ユニット５０に指示を出し、ＬＥＤ７０に対する電力供給を遮断することにより、ＬＥＤ７０のエラーを示す点灯を消灯する。
【０１１１】
また、Ｓ２０２にて表示部４１に表示が必要であると判断されるエラーが起こった際には、表示部４１にエラーの詳細情報が表示されるため、ＬＥＤ７０に電力は供給せず、エラーを示す点灯も行わない。
【０１１２】
ここで、既述したように表示手段において、Ｓ２２０で表示部４１での表示が不要であると判断された場合は、ＬＥＤ７０に対する電力供給が遮断される（Ｓ２２１）。
【０１１３】
つまり、表示部４１にエラーの詳細情報が表示されているときは、ＬＥＤ７０に対する電力供給は行われない。一方、ＬＥＤ７０でエラーを示す点灯が行われているときは、表示部４１に対する電力供給は行われない。これにより、より一層省電力の効果が期待できる。
【０１１４】
また、上記実施形態は、テンキーでのエラーを示す点灯の態様をユーザが設定できることと、ユーザの設定に従ってテンキーによりエラーを示す点灯を行うこと、詳細情報表示の指示が行われたときに、指示されたエラーに対応するエラーの詳細情報を表示部４１に表示すること、を必須の構成とする形態に変更が可能である。
【０１１５】
この場合、省電力モードで表示部４１に対する詳細表示の指示がされていないときでも、表示部４１に対する電力の供給を遮断することは必須ではなく、電力は供給しておいてもよいし、遮断しておいてもよい。
【０１１６】
電力供給の遮断を行わないときは、図５のＳ２０３は行わず、Ｓ２０２で表示部４１への表示が必要であると決定された場合は（Ｓ２０２：Ｙｅｓ）、Ｓ２０４に移行する。また、Ｓ２１０で詳細情報表示の指示が検知された場合は（Ｓ２１０：Ｙｅｓ）、Ｓ２１２に移行する。そして、Ｓ２２１では電力供給を遮断せず、詳細情報を非表示とする処理を行い、表示処理を終了する。
【０１１７】
このように、表示部４１への電力供給を遮断しない場合であっても、ユーザはＬＥＤ７０の点灯を見て、どのようなエラーが起こったのか予測できるという効果が得られる。また、どのようなエラーが起こったのかＬＥＤ７０の点灯から予測できないユーザは、テンキー４２を押下して指示することにより、押下したキーのエラーに対応するエラーの詳細情報を表示部４１へ表示して確認することができるという効果も得られる。
【０１１８】
さらに、表示部４１への電力が供給されているため、最も優先度の高いエラーの詳細情報を表示するのに用いたり、ＭＦＰ１００の操作のための表示に用いたりすることができるため、利便性が向上する。
【０１１９】
また、本実施形態は単なる例示にすぎず、本発明を何ら限定するものではない。したがって本発明は当然に、その要旨を逸脱しない範囲内で種々の改良、変形が可能である。
【０１２０】
例えば、ＭＦＰに限らず、複写機等、画像読取機能を備えるものであれば適用可能である。
【０１２１】
また、上記実施形態では、１つのＣＰＵ３１が発光処理と表示処理を全て実行したが本発明はこれに限られず、複数のＣＰＵや、専用回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などで実行してもよい。例えば、詳細情報表示の指示検知，電力の供給や遮断，表示部への表示，テンキー点灯などを別々のＣＰＵに実行させてもよい。
【符号の説明】
【０１２２】
１０    画像形成部
２０    画像読取部
３１    ＣＰＵ
３４    ＮＶＲＡＭ
４０    操作パネル
４１    表示部
４２    テンキー
５０    電力供給ユニット
７０    ＬＥＤ
１００  ＭＦＰ
【図１】
0005938990.tif 000002
【図３】
0005938990.tif 000003
【図４】
0005938990.tif 000004
【図５】
0005938990.tif 000005
【図６】
0005938990.tif 000006
【図２】
0005938990.tif 000007